(57)【要約】【課題】各測定機器によって得られた生体データなどのデータを効率的に一元管理することを可能とする管理システムを提供する。【解決手段】管理システム１に、生体データを取得する１つ又は複数の生体データ測定機器２ａ，２ｂ，２ｃ…と、生体データ測定機器２ａ，２ｂ，２ｃ…とネットワークを介して通信自在に接続され、生体データ測定機器２ａ，２ｂ，２ｃ…から送信された生体データをＸＭＬデータに変換するＸＭＬ変換部１５と、ＸＭＬデータを解析して生体の健康状態を判断するデータ解析部１６とを備えたデータ管理装置４と、を設ける。【選択図】図１
2007086872.tif 000002
【特許請求の範囲】
【請求項１】
生体データを取得する１つ又は複数の生体データ測定機器と、
前記生体データ測定機器とネットワークを介して通信自在に接続され、前記生体データ測定機器から送信された前記生体データをＸＭＬデータに変換するＸＭＬ変換手段と、前記ＸＭＬデータを解析して生体の健康状態を判断するデータ解析手段とを備えたデータ管理装置と、
を備えることを特徴とする管理システム。
【請求項２】
前記生体データ測定機器は取得した生体データをＸＭＬデータに変換するＸＭＬ変換手段を備え、前記データ管理装置の前記データ解析手段は前記生体データ測定機器から送信された前記ＸＭＬデータを解析して生体の健康状態を判断することを特徴とする請求項１記載の管理システム。
【請求項３】
前記データ管理装置が備える前記ＸＭＬ変換手段は前記生体データ測定機器から取得した機器データを前記ＸＭＬデータに記述することを特徴とする請求項１又は請求項２記載の管理システム。
【請求項４】
前記データ管理装置は、前記データ解析手段が所定の生体データの解析により生体の健康状態を異常と判断すると、その生体データに関連する生体データを前記ＸＭＬデータから抽出する関連データ抽出手段を備えることを特徴とする請求項１〜請求項３いずれか一項に記載の管理システム。
【請求項５】
前記関連データ抽出手段には所定の生体データに関連する生体データが予め設定されており、所定の生体データの解析により生体の健康状態が異常と判断されると、その生体データに関連する生体データが自動的に抽出されることを特徴とする請求項４記載の管理システム。
【請求項６】
前記データ管理装置には前記関連データ抽出手段の抽出条件に応じて関連データの転送先が予め設定されており、抽出した関連データを前記転送先に転送するデータ転送手段を備えることを特徴とする請求項４又は請求項５記載の管理システム。
【請求項７】
生体の画像データを取得する１つ又は複数の撮像装置を備え、前記データ管理装置が備える前記ＸＭＬ変換手段は前記撮像装置から送信された画像データのプロパティを前記ＸＭＬデータに記述することを特徴とする請求項１〜請求項６いずれか一項に記載の管理システム。
【請求項８】
前記データ管理装置は前記画像データから画像特徴量を抽出して前記ＸＭＬデータに記述する画像特徴量抽出手段を備えることを特徴とする請求項７記載の管理システム。
【発明の詳細な説明】
【技術分野】
【０００１】
本発明は、管理システムに関し、特に、生体データなどを管理するデータの管理システムに関する。
【背景技術】
【０００２】
従来、人体の生理状態の変化をセンサやＣＣＤカメラなどの撮像装置によって検知したデータや、各測定機器によって得られた生体データをネットワークにより医療機関などの専門機関に送信し、データの解析や一括管理を行う健康管理システムが知られている。
【０００３】
例えば、特許文献１には、被検者の耳介に常時装着可能な血圧計を装着し、任意の時間に自動で血圧を測定して、測定された血圧データを被検者の特定情報と共にネットワークを介して医療機関などの専門機関に送信する健康管理システムが開示されている。
【０００４】
このような健康管理システムによれば、被検者の健康管理を常時行って、その生体データを専門機関に送信することにより、被検者に健康上の異常事態が発生したときに迅速で適切な処置を行うことが可能となる。
【０００５】
また、互いに通信可能なネットワークで接続された各種の生体データ測定機器を用いることにより、各測定機器で測定された生体データを１つの装置で一括管理することが可能となる。
【特許文献１】特開２００５−２１１１７２号公報
【発明の開示】
【発明が解決しようとする課題】
【０００６】
しかし、特許文献１には、健康管理システムにおける異種のコンピュータ間で生体データの互換を行うためのデータ形式については記載されていなかった。
【０００７】
このように各種の測定機器から得られた生体データをパーソナルコンピュータなどで一括管理する場合、各社の製品による同様なサービスが乱立すると、ユーザはデータを一元化して管理することが困難になるという問題があった。
【０００８】
一方、生体データは変動が大きいため、生体データの解析を行うのみでは、健康状態などの診断を正確に行うことができない場合があった。
【０００９】
本発明は上述した点に鑑み、各測定機器によって得られた生体データなどのデータを効率的に一元管理することを可能とする管理システムを提供することを目的とする。
【課題を解決するための手段】
【００１０】
上記課題を解決するため請求項１記載の発明は、管理システムであって、生体データを取得する１つ又は複数の生体データ測定機器と、前記生体データ測定機器とネットワークを介して通信自在に接続され、前記生体データ測定機器から送信された前記生体データをＸＭＬデータに変換するＸＭＬ変換手段と、前記ＸＭＬデータを解析して生体の健康状態を判断するデータ解析手段とを備えたデータ管理装置と、を備えることを特徴とする。
【００１１】
請求項１記載の発明によれば、生体データをＸＭＬデータに統一することで、様々な生体データ測定機器から取得した生体データをデータ管理装置において一元管理することが可能となる。また、ＸＭＬデータとすることにより、必要に応じてＸＭＬデータの一部から所定の生体データを選択的に抽出することなどが容易となる。更に、ＸＭＬデータにおいてはタグ名を自由に設定することができるため、将来新しいデータ取得装置が現れた場合にも対応することが可能となる。
【００１２】
請求項２記載の発明は、請求項１記載の管理システムであって、前記生体データ測定機器は取得した生体データをＸＭＬデータに変換するＸＭＬ変換手段を備え、前記データ管理装置の前記データ解析手段は前記生体データ測定機器から送信された前記ＸＭＬデータを解析して生体の健康状態を判断することを特徴とする。
【００１３】
請求項２記載の発明によれば、生体データ測定機器で生体データをＸＭＬデータに変換してからデータ管理装置にそのデータを送信することにより、請求項１と同様の作用を得ることができる。
【００１４】
請求項３記載の発明は、請求項１又は請求項２記載の管理システムであって、前記データ管理装置が備える前記ＸＭＬ変換手段は前記生体データ測定機器から取得した機器データを前記ＸＭＬデータに記述することを特徴とする。
【００１５】
請求項３記載の発明によれば、異なる生体データ測定機器から同じ種類の生体データを取得する場合でも、どの生体データ測定機器から取得した生体データかを判別することが可能となる。
【００１６】
請求項４記載の発明は、請求項１〜請求項３いずれか一項に記載の管理システムであって、前記データ管理装置は、前記データ解析手段が所定の生体データの解析により生体の健康状態を異常と判断すると、その生体データに関連する生体データを前記ＸＭＬデータから抽出する関連データ抽出手段を備えることを特徴とする。
【００１７】
請求項４記載の発明によれば、ＸＭＬデータから、画像解析を行った生体データ及びその生体データに関連する生体データのみを抽出することが可能となる。これにより、データ管理装置から別の装置に解析結果を送信する際の転送負荷を軽減することができる。
【００１８】
請求項５記載の発明は、請求項４記載の管理システムであって、前記関連データ抽出手段には所定の生体データに関連する生体データが予め設定されており、所定の生体データの解析により生体の健康状態が異常と判断されると、その生体データに関連する生体データが自動的に抽出されることを特徴とする。
【００１９】
請求項５記載の発明によれば、主な生体データに関連する生体データは予め関連づけておくことにより、データ処理を効率化することが可能となる。
【００２０】
請求項６記載の発明は、請求項４又は請求項５記載の管理システムであって、前記データ管理装置には前記関連データ抽出手段の抽出条件に応じて関連データの転送先が予め設定されており、抽出した関連データを前記転送先に転送するデータ転送手段を備えることを特徴とする。
【００２１】
請求項６記載の発明によれば、転送先の検索作業を省略することにより、データ処理を効率化することが可能となる。
【００２２】
請求項７記載の発明は、請求項１〜請求項６いずれか一項に記載の管理システムであって、生体の画像データを取得する１つ又は複数の撮像装置を備え、前記データ管理装置が備える前記ＸＭＬ変換手段は前記撮像装置から送信された画像データのプロパティを前記ＸＭＬデータに記述することを特徴とする。
【００２３】
請求項７記載の発明によれば、データ管理装置において、所定の生体データと関連する画像データを容易に判断することができる。また、画像データの参照により生体の健康状態に関する判断の精度を上げることが可能となる。
【００２４】
請求項８記載の発明は、請求項７記載の管理システムであって、前記データ管理装置は前記画像データから画像特徴量を抽出して前記ＸＭＬデータに記述する画像特徴量抽出手段を備えることを特徴とする。
【００２５】
請求項８記載の発明によれば、画像データをそのまま送信するよりも転送負荷を軽減することができる。また、画像特徴量の参照により生体の健康状態に関する判断の精度を上げることが可能となる。
【発明の効果】
【００２６】
請求項１記載の発明によれば、生体データをデータ管理装置において一元管理することが可能となる。また、必要に応じて所定の生体データを選択的に抽出することなどが容易となる。更に、ＸＭＬデータにより新しいデータ取得装置の出現にも対応することが可能となる。
【００２７】
請求項２記載の発明によれば、請求項１と同様の効果を得ることができる。
【００２８】
請求項３記載の発明によれば、どの生体データ測定機器から取得した生体データかを判別することが可能となる。
【００２９】
請求項４記載の発明によれば、データ管理装置から別の装置に解析結果を送信する際の転送負荷を軽減することができる。
【００３０】
請求項５記載の発明によれば、データ処理を効率化することが可能となる。
【００３１】
請求項６記載の発明によれば、データ処理を効率化することが可能となる。
【００３２】
請求項７記載の発明によれば、生体データ取得時における画像データを容易に得ることが可能となり、画像データの参照により生体の健康状態に関する判断の精度を上げることが可能となる。
【００３３】
請求項８記載の発明によれば、転送負荷を軽減し、生体の健康状態に関する判断の精度を上げることができる。
【発明を実施するための最良の形態】
【００３４】
以下、本発明の実施形態について図面を参照して説明する。
【００３５】
図１に示すように、本実施形態の管理システム１には複数の生体データ測定機器２ａ，２ｂ，２ｃ…が備えられている。この生体データ測定機器２ａ，２ｂ，２ｃ…とは、例えば、体温計、体重計、体脂肪率計、脈拍計、パルスオキシメータ、末梢血管モニタリング装置、尿糖測定器などである。また、近年、携帯電話機のような携帯端末で生体データを取得する方法も提案されており、このような携帯端末を生体データ測定機器２ａ，２ｂ，２ｃ…として用いてもよい。
【００３６】
生体データ測定機器２ａ，２ｂ，２ｃ…は各家庭内に設置され、ユーザの生体データを日常的に測定する。また、生体データ測定機器２ａ，２ｂ，２ｃ…はスポーツジムなどの各種健康管理施設や運動施設、病院、老人用施設、障害者施設などに設置することも可能である。
【００３７】
また、図１に示すように、本実施形態の管理システム１には撮像装置３が備えられており、生体の各部位の画像データを取得するようになっている。この撮像装置３は、生体データ測定機器２ａ，２ｂ，２ｃ…と同様に各家庭内などに設置される。また、撮像装置３は、洗面所の鏡の周辺や背後、ＴＶの周辺や背後又は玄関の上がり框など、ユーザが意識せずに画像データを取得することができる場所に設置することが望ましい。
【００３８】
また、図１に示すように、生体データ測定機器２ａ，２ｂ，２ｃ…のそれぞれ及び撮像装置３には、互いに通信可能なネットワークを介して、生体データなどのデータを管理するデータ管理装置４が接続されている。データ管理装置４は、家庭内や家庭外のいずれか一箇所に設置すればよい。
【００３９】
さらに、データ管理装置４には、互いに通信可能なネットワークを介して１つ以上の外部装置５が接続されている。なお、生体データ測定機器２ａ，２ｂ，２ｃ…のそれぞれや撮像装置３を外部装置５と通信可能な構成にすることも可能である。
【００４０】
外部装置５とはパソコンなどであり、何らかのコンサルティングや診断が受けられる場所に設置されていることが望ましい。例えば、本実施形態に係る管理システム１で健康に関するデータを得る場合は、病院や健康管理施設などの公共施設に設置しておくことが考えられる。また、美容に関するデータの場合は、コスメティック関係の店や施設・病院などに設置しておくことが考えられる。また、外部装置５をコンサルティング情報が得られるインターネットサイトや、コンサルタントや医師、店員などの携帯端末として構成してもよい。
【００４１】
なお、本実施形態におけるネットワークはデータ通信可能である通信網を意味するものであれば特に限定されず、例えばインターネット、ＬＡＮ（Local Area Network）、ＷＡＮ（Wide Area Network）、電話回線網、ＩＳＤＮ（Integrated Services Digital Network）回線網、ＣＡＴＶ（Cable Television）回線、光通信回線などを含めることができる。また、有線のみならず無線によって通信可能な構成としてもよい。
【００４２】
次に、各装置の構成について説明する。
【００４３】
生体データ測定機器２ａ，２ｂ，２ｃ…は、生体データ取得手段としての機能を果たすものであり、図１に示すように、以下に述べる各構成部分が設けられている。なお、生体データ測定機器２ａ，２ｂ，２ｃ…の構成はいずれも同様であるとして、以下は生体データ測定機器２ａの構成について説明する。
【００４４】
測定値表示部６ａは、ＣＲＴ，液晶，有機ＥＬ，プラズマ又は投影方式などのディスプレイによって構成され、生体データ測定機器２ａにより取得した体温、体重、体脂肪率などの各種生体データの測定値を表示するようになっている。
【００４５】
外部通信部７ａは、有線又は無線の通信手段によりデータ管理装置４と接続され、生体データ測定機器２ａで取得した生体データをデータ管理装置４に送信するようになっている。なお、ＸＭＬ変換部８ａで生体データをＸＭＬデータに変換してからデータ管理装置４に送信してもよい。
【００４６】
また、外部通信部７ａは、各生体データ測定機器２ａ，２ｂ，２ｃ…で測定した生体データを区別するための機器データをデータ管理装置４に送信するようになっている。これは、生体データ測定機器２ａ，２ｂ，２ｃ…のうち異なる種類の測定機器で同じ生体データを測定する場合を想定して、データ管理装置４においてＸＭＬデータに機器データを記述することを可能とするものである。例えば、一部の血圧計は脈拍も測定できるが、パルスオキシメータでも脈拍を測定することができる。このような場合に、ＸＭＬデータに機器データを記述することにより、各機器から取得した生体データを区別することが可能となる。ここで機器データとは、例えば、機器の名称、型番、シリアルナンバー、ＭＡＣアドレス、ＵＲＩ（Uniform Resource identifier）などである。なお、機器データをＸＭＬデータに記述する際に用いるタグは、生体データ測定機器２ａ，２ｂ，２ｃ…ごとに予め設定しておく。
【００４７】
ＸＭＬ変換部８ａは、ＸＭＬ変換手段としての機能を果たすものであり、生体データ測定機器２ａにより取得した生体データをＸＭＬデータに変換するようになっている。
【００４８】
このＸＭＬ変換部８ａが生体データをＸＭＬデータに変換する際に用いるタグは、予め設定しておく。例えば、トップ要素＜HealthCheck＞、生体データ＜Vital＞、体温＜BT＞、最高血圧＜MaxBP＞、最低血圧＜MinBP＞、脈拍＜Pulse＞、酸素飽和度＜Sp02＞などとすることができる。
【００４９】
なお、ＸＭＬ変換部８ａは本発明において必須の構成部分であるが、生体データ測定機器２ａにおいては任意の構成部分である。
【００５０】
次に、撮影装置３の構成について説明する。撮影装置３には以下に述べる各構成部分が設けられている。
【００５１】
外部通信部９は、有線又は無線の通信手段によりデータ管理装置４などと情報通信ができるように構成されている。なお、撮影装置３は画像情報を扱うため、できる限り高速伝送できる通信形態であることが望ましい。そして、この外部通信部９を経由して画像データをデータ管理装置４に送信するようになっている。
【００５２】
画像表示部１０は、ＣＲＴ，液晶，有機ＥＬ，プラズマ又は投影方式などのディスプレイによって構成され、撮影画像や外部装置５からの情報を表示するようになっている。
【００５３】
生体照明部１１は光源を備えており、撮影時に生体に対して照明光を与えるようになっている。生体照明部１１が備える光源としては、蛍光ランプ，白熱電球，ＬＥＤ，レーザー，有機ＥＬといった人工光源などを使用することができるが、撮影画像への周辺環境光の影響を抑えるために、強度が強いストロボ、高輝度ＬＥＤなどの光源を使うことが望ましい。また、光源は可視光域だけでなく、その周辺（紫外域、近赤外、赤外領域）にも発光特性をもつものが望ましい。また、環境光の影響をできるだけ抑えるにはストロボのような輝度の高い光を照射できる光源であることが望ましいが、生体の動画を撮影する場合は、強度やスペクトルなどの特性が長時間安定した光を照射できる光源であることが望ましい。また、点光源より線・面光源とした方が、ユーザに対して空間的に強度の分布が抑えられた光を得ることができる。すなわち、ユーザへの照明むらが抑えられて望ましい画像を得ることができる。
【００５４】
画像撮影部１２は、画像撮影手段としての機能を果たすものであり、ＣＣＤやＣＭＯＳなどの撮像素子により静止画又は動画を取得する１つ又は複数のカメラによって構成されている。例えば、デジタルカメラ、ビデオカメラ、その他携帯電話などに付属のカメラモジュールなどにより構成してもよい。
【００５５】
この画像撮影部１２は、生体表面の反射光を撮像して、ＲＧＢ画像のＲ，Ｇ，Ｂ各信号に対応する各チャンネルの画素値に変換するようになっている。本実施形態の画像撮影部１２は３個の画像チャンネルを備えているが、３個以上の画像チャンネルをもつマルチチャンネル（マルチバンド）としてもよい。撮影画像のフォーマットとしては、ｊｐｅｇ，ｔｉｆｆなどの一般的なフォーマット及び生画像に対応するｒａｗファイルを備えている。ｒａｗファイルの場合の画像処理（デモザイク処理、ガンマ処理、色変換処理、強調処理など）は、ファイル出力時に行われるようにしてもよいし、行われないようにしてもよい。ただし、画像処理の各パラメータは参照できるようにしておく。
【００５６】
また、画像撮影部１２として赤外線カメラを設置し、この赤外線カメラで患部から放出される熱を撮像して体表の温度分布を画像表示部１０に映し出すサーモグラフィ装置を構成してもよい。
【００５７】
メモリ部１３は、ＲＡＭ、ＲＯＭ、ＤＩＭＭなどから構成され、撮像装置３の各構成部分における処理に必要なデータを一時的に蓄えることによって、撮像装置３を高速かつ安定に動作させるようになっている。
【００５８】
次に、図１に示すように、本実施形態の管理システム１が備えるデータ管理装置４には以下の各構成部分が設けられている。
【００５９】
外部通信部１４は、有線又は無線の通信手段により、生体データ測定機器２ａ，２ｂ，２ｃ…、撮像装置３及び外部装置５と情報通信ができるように構成されている。そして、この外部通信部１４を経由して生体データ測定機器２ａ，２ｂ，２ｃ…から生体データ又はＸＭＬデータを受信すると共に撮像装置３から画像データを受信し、また、外部装置５にＸＭＬデータ又は画像データなどを送信するようになっている。
【００６０】
ＸＭＬ変換部１５は、生体データ測定機器２ａ，２ｂ，２ｃ…から送信された生体データをＸＭＬデータに変換するようになっている。
【００６１】
また、ＸＭＬ変換部１５は、生体データ測定機器２ａ，２ｂ，２ｃ…から取得した機器データをＸＭＬデータに記述するようになっている。
【００６２】
ＸＭＬデータに機器データを記述する場合、機器データは各生体データの属性として付与することが可能である。なお、属性名は予め設定しておく。例えば、図２は、属性の名称をＩＤとし、脈拍が血圧計及びパルスメータの双方から得られた場合のＸＭＬデータの例である。図２では、機器データとして、血圧計から型名「BP-1000」、パルスオキシメータから型名「POM-285」を取得したものとしている。
【００６３】
また、機器データとしてＵＲＩを取得した場合は、それを名前空間としてＸＭＬデータに機器データを付与することができる。これにより、各機器で取得したＸＭＬデータをウェブ上で共有・交換する際に、各ＸＭＬデータを一意に示すことが可能となり、ＸＭＬデータの相互運用性を高めることができる。この場合、生体データ測定機器２ａ，２ｂ，２ｃ…の種類に対応した接頭辞を設定しておき、接頭辞とＵＲＩとを用いて名前空間を規定する。この際、同種類の生体データ測定機器２ａ，２ｂ，２ｃ…が複数存在する場合は、接頭辞の末尾に連番を付けるなどして区別する。
【００６４】
例えば、図３は名前空間を規定した場合の例である。ここで、血圧計の接頭辞を<BP>、パルスオキシメータの接頭辞を<POM>とし、機器データとして、血圧計からＵＲＩ「http://www.makerA.co.jp/BP/」を取得し、パルスオキシメータからＵＲＩ「http://www.makerB.co.jp/PulseOxyMater/」を取得したものとしている。
【００６５】
また、生体データ測定機器２ａのユーザが複数いる場合は、フォルダを分けて各ユーザの生体データを記憶するか、ユーザ情報をＸＭＬデータ中に属性として記述してもよい。例えば、山田氏の生体データであれば、＜Vital user=”Yamada”＞のように氏名を記述することができる。
【００６６】
また、ＸＭＬ変換部１５は、生体データ測定機器２ａ，２ｂ，２ｃ…から生体データを受信した時間を測定時間としてＸＭＬデータに記述するようになっている。この測定時間をＸＭＬデータに記述することにより、ユーザを判別することなどが可能となる。なお、この測定時間はデータ管理装置４が備える図示しない計時部から取得することができる。
【００６７】
ＸＭＬデータ中の測定時間の記憶パターンとしては、図４（ａ）のように日時ごとにファイルを分けて記憶するパターンや、図４（ｂ）のようにディレクトリを分けて記憶するパターンがあるが、好ましくは、図４（ｃ）のようにＸＭＬデータ中に属性として記述する。これは、画像解析の際に各日付のデータを抽出する際のファイルアクセス負担を小さくするためである。
【００６８】
また、ユーザが複数いる場合は、図５（ａ）のようにユーザごとにファイルを分けて記憶するパターンや、図５（ｃ）のようにＸＭＬデータ中に属性として記述するパターンがあるが、好ましくは図５（ｂ）のようにディレクトリを分けて記憶する。
【００６９】
また、ＸＭＬ変換部１５は、生体データ測定機器２ａ，２ｂ，２ｃ…で取り込むことのできない生体データがあった場合は、図６に示すような表示部２１の生体データ入力画面において入力された生体データをＸＭＬデータに変換するようになっている。
【００７０】
更に、ＸＭＬ変換部１５は、生体データに基づく健康状態の判断の参考情報として、生活データ又はユーザ固有情報をＸＭＬデータに記述するようになっている。
【００７１】
ここで、生活データとは、例えば生体データの測定日における睡眠時間、作業内容、飲酒の有無又は投薬の有無などである。また、ＴＶやＰＣ、携帯電話機の表示部の背部又はその周辺部に設けた視線検出手段により得られる表示部を見ていた時間や、人検知センサにより得られる風呂若しくはトイレにいた時間、あるいは公知の睡眠管理システムなどから得られる就寝時間、起床時間又は睡眠状態、ＧＰＳにより得られる屋外にいた時間又は万歩計（登録商標）から得られる歩数などの情報を含めることもできる。
【００７２】
また、ユーザ固有情報とは、喫煙歴、飲酒歴又は病歴など、ユーザの生活習慣に関する情報である。
【００７３】
この生活データ及びユーザ個人情報は、図７に示すような表示部２１の生活データ入力画面において、ユーザインターフェイス部２０の操作により手入力することが可能となっている。
【００７４】
このようにして取得した生活データ又はユーザ個人情報データは、生体データと同じファイルに記述することが好ましい。例えば、タグ名を＜LifeInfo＞として、それ以下に記述することが可能である。
【００７５】
図８は、ＸＭＬデータに生活データを記述した例である。図８では、タグ名を＜LifeInfo＞、就寝時間タグを＜BedTime＞、起床時間タグを＜WakeUpTime＞、屋外にいた時間を＜Outdoor＞として規定している。
【００７６】
また、ＸＭＬ変換部１５は、生体データから変換されたＸＭＬデータに、撮像装置３から送信された画像データのプロパティを記述することにより、生体データと画像情報とを関連づけるようになっている。ここで画像データのプロパティとは、画像ファイル名、画像撮影日、画像サイズ、色数、解像度又は圧縮方法などをいう。これらは、例えばＪＰＥＧ画像のＥｘｉｆ情報、Ｔｉｆｆ画像のタグ情報などから取得することができる。
【００７７】
ここで、この生体データ及び画像情報は、１つ又は複数ずつ関連づけることができる。生体データと画像情報とを関連づけるパターンとしては、以下のパターンがある。なお、以下の複数のパターンを組み合わせることも可能である。
【００７８】
まず、画像データと同じフォルダに生体データをおくパターンがある。
【００７９】
また、画像データと生体データとを対応付けたルックアップテーブルを記憶しておくパターンがある。
【００８０】
また、画像データのメタデータ記述領域に生体データのファイル名を記述するパターンがある。例えば、図９に示すように、DIG35のCONTENT_DESCRIPTIONのCOMMENTに、対応する生体データのファイル名を記述する。なお、DIG35とはデジタル画像へのメタデータ付与の規格の１つである。
【００８１】
また、生体データファイルに関連する画像データのファイル名を記述するパターンがある。例えば、生体データのトップ要素の属性に対応する画像データについて、＜Vital reflmg=”xxxxxxxx.jpg”＞などのようにファイル名を記述する。
【００８２】
また、生体データファイルにＩＤを付与し、画像データのメタデータ領域にこのＩＤを記述するパターンがある。例えば、図１０に示すように、DIG35のCONTENT_DESCRIPTIONのCOMMENTに、対応する生体データのファイルＩＤを記述する。
【００８３】
また、画像データファイルにＩＤを付与し、生体データのメタデータ領域にこのＩＤを記述するパターンがある。例えば、生体データのトップ要素の属性に、＜Vital refID=”IMG0001”＞など、画像データファイルのＩＤを記述する。
【００８４】
なお、JPEG2000のように、ＸＭＬを記述する領域が用意されている画像データに関しては、その領域に生体データを記述してもよい。
【００８５】
データ解析部１６は、データ解析手段を備え、生体データ測定機器２ａ，２ｂ，２ｃ…から送信された生体データ又は撮像装置３から送信された画像データのデータ解析を行うようになっている。
【００８６】
すなわち、データ解析部１６は、生体データを解析して得られた測定値又は画像データを解析して得られた測定値を所定の基準データの測定値と比較して、その差が所定の閾値以上であった場合は、異常と判断するようになっている。この場合の基準データは、システム情報保持部２５が保持しており、例えば、前日に取得したデータ、過去１週間の平均データ又は過去１ヵ月若しくは前年同月度の平均データなどを使用することができる。また、所定の基準データを用いるほかに、予め設定した上限値又は下限値を超えた場合に異常と判断する構成とすることも可能である。
【００８７】
なお、システムの稼動開始直後で、過去のデータが十分に収集されていない場合は、ユーザと同姓で同世代の生体データ又は画像データを予めシステム情報保持部２５が保持しておき、それを使用することも可能である。この場合、ユーザの生体データ又は画像データがある程度蓄積された時点で基準データをユーザ自身の生体データ又は画像データと差し替えることも可能である。
【００８８】
画像特徴量抽出部１７は、画像特徴量抽出手段としての機能を果たすものであり、データ解析部１６における画像データの解析結果に基づき、画像特徴量を抽出するようになっている。これにより、画像データそのものに代わり、転送負荷の小さい画像特徴量を送信することが可能となる。
【００８９】
この画像特徴量としては、体表面温度、肌の色、爪の色、舌の色、白目の色、まばたきの回数、血管幅、顔・手・足の幅（むくみ）などが挙げられる。これらの画像特徴量は、画像データに基づき、公知の技術を用いて抽出することができる。例えば、特開平１０−１６５３７５号公報には、顔の皮膚色を解析する技術が開示されている。
【００９０】
この画像特徴量は、上記画像データのプロパティと共にＸＭＬデータに記述される。また、画像特徴量及びプロパティは可能な限りDIG35に準拠し、そのタグを用いて表現することが望ましいが、適切なタグが存在しない場合は、新たにタグを設定してもよい。
【００９１】
例えば、図１１は、顔の色度（L＊ａ＊ｂ＊）とまばたきの回数を画像特徴量とした場合の例である。図１１では、DIG35のTHINGタグに顔、目を対応させ、その画像特徴量をPROPERTYタグで記述したものである。
【００９２】
なお、画像特徴量をＸＭＬデータに記述するのは画像特徴量抽出部１７による抽出が行われる場合のみであり、画像特徴量を抽出しない場合は、上記の画像データのプロパティを記述しておけばよい。
【００９３】
関連データ抽出部１８は、関連データ抽出手段としての機能を果たすものであり、異常と判断された生体データ又は画像データに関連するデータを抽出するようになっている。これにより、外部装置５などにおいて、生体データ又は画像データに基づいてユーザの健康状態を診断する際の参考情報とすることが可能となっている。
【００９４】
本実施形態の関連データ抽出部１８においては、所定の生体データ又は画像データと、その生体データ又は画像データに関連するデータとが予め対応付けられている。そして、データ解析部１６において、所定の生体データ又は画像データに基づき、健康状態が異常と判断されると、その生体データ又は画像データに関連するデータが自動的に抽出されるようになっている。
【００９５】
例えば、血圧値が異常と判断された場合、血圧異常から考えられる病気に関連したデータとして、生体データ中の脈拍や酸素飽和度のほか、関連する画像データや画像特徴量、ユーザの喫煙歴などを抽出することができる。この関連データとしては、正常時との差を明らかにするため、異常発生前の一定期間の関連データを抽出することが望ましい。この抽出条件は、画像データ、画像特徴量又は生体データごとに、例えば、血圧値、肌の色、顔表面温度などのデータごとにそれぞれ設定するようになっている。
【００９６】
ここで、関連データ抽出部１８による関連データの抽出には、ＸＳＬＴ（Extensible Stylesheet Language Transformations）を用いることが好ましい。ＸＳＬＴは、ＸＭＬデータを様々な形に加工するための言語であり、ＸＭＬデータを別の構造のＸＭＬデータに変換することや、データの一部抜き出し又は並べ替えなどを可能とするものである。これにより、ＸＭＬデータをＣＳＶデータに変換してＥｘｃｅｌ（登録商標）などの表計算ソフトで閲覧することや、ＨＴＭＬデータに変換してＷｅｂ形式で閲覧することも可能となる。
【００９７】
Ｉ／Ｏ部１９は、ＣＦカード、ＳＤカード、ＵＳＢメモリカードなどの可搬型デバイスを接続できるように構成されている。なお、Ｉ／Ｏ部１９にバイタルセンサーなどの計測装置を接続して使用するようにしてもよい。
【００９８】
ユーザインターフェイス部２０は、ユーザの指示入力を可能にすると共に、ユーザに装置の状況や要求を伝達することができるように構成されている。
【００９９】
本実施形態のユーザインターフェイス部２０は、図６及び図７に示すような表示部２１の生体データ入力画面又は生活データ入力画面に、生体データや生活データなどを手入力することを可能としている。こうして生体データ入力画面又は生活データ入力画面に入力された生体データや生活データは、ＸＭＬ変換部１５に送信され、ＸＭＬデータに変換又は記述されるようになっている。
【０１００】
表示部２１は、液晶などのディスプレイを備え、データ管理装置４の動作状況やユーザインターフェイス部２０による指示入力などを表示するようになっている。また、撮影画像から異常データが検出された際の警告を表示するように構成することも可能である。
【０１０１】
また、本実施形態の表示部２１は、図６及び図７に示すように、表示画面上に生体データ入力画面及び生活データ入力画面を表示するようになっている。このうち生体データ入力画面は、生体データ測定機器２ａ，２ｂ，２ｃ…で取り込むことのできない生体データの手入力を可能としている。また、生活データ入力画面は、生体データに基づく健康状態の判断の参考情報となる生活データ又はユーザ固有情報の手入力を可能としている。
【０１０２】
記憶部２２は、バッファなどのメモリを備えており、データ保持部２３、作業領域部２４及びシステム情報保持部２５から構成されている。なお、記憶部２２のうちデータ保持部２３は、ＬＡＮ上のサーバや外部サーバとして構成してもよい。
【０１０３】
データ保持部２３は、生体データ測定機器２ａから送信された生体データ、撮像装置３から送信された画像データや、外部装置５から入力されたコンサルティング・診断データなどを保持するようになっている。
【０１０４】
作業領域部２４は、データ管理装置４におけるデータ処理を高速に行うため、データ処理に使用する各種データを一時的に保持するようになっている。
【０１０５】
システム情報保持部２５は、生体データ測定機器２ａ、撮像装置３及びデータ管理装置４のシステム情報を保持するようになっている。
【０１０６】
このシステム情報保持部２５は、健康と判断された生体データ又は画像データに基づいて、データ解析部１６におけるデータ解析の診断基準となる基準データを作成して保持するようになっている。この健康状態データは、データの信頼性を高めるため、一定期間ごとにユーザの健康状態を確認した上で更新する構成とすることもできる。
【０１０７】
また、管理システム１の導入時又は新しいユーザを登録して間もない時は、ユーザ個人の肌の色やその他の特徴についての情報が少なく、健常状態又は異常状態のデータを構成することができない。そこで、システム情報保持部２５に予め一般人の平均的なデータを登録しておき、初回から所定の期間はその平均データ使用して仮の計測値を得ることができる。また、管理システム１を使用するユーザの平均データを使用して仮の計測値を得ることもできる。また、所定の期間経過後はユーザの実データに切り替え、それまでの画像データに対して計測値を更新することが可能である。なお、「所定の期間」はシステム情報保持部２５に予め登録しておく。
【０１０８】
データ転送部２６は、データ転送手段としての機能を果たすものであり、データ解析部１６が生体データ又は画像データを解析した結果、ユーザの健康状態が異常と判断した場合は、その診断に係る画像データ及び生体データを外部装置５に送信するようになっている。その際、画像データに変わり、転送負荷の少ない画像特徴量を送信することも可能である。
【０１０９】
また、データ転送部２６には、関連データ抽出部１８の抽出条件に応じて関連データの転送先が予め設定されており、データ解析部１６が所定の生体データの解析により生体の健康状態を異常と判断すると、その生体データに関連する生体データを前記転送先に転送するようになっている。この転送先としては、例えば内科医、皮膚科医、泌尿器科医、美容コンサルタントなどを設定しておくことができる。
【０１１０】
次に、上述の管理システム１の作用について、図１２のフローチャートを参照して説明する。
【０１１１】
生体データ測定機器２ａ、２ｂ、２ｃ…は、家庭内で生活するユーザの生体データを所定期間ごとに取得する（ステップＳ１）。続いて、外部通信部７ａは、生体データと共に各生体データ測定機器２ａ，２ｂ，２ｃ…の機器データをデータ管理装置４に送信する。なお、ＸＭＬ変換部８ａにおいてＸＭＬ変換を行う場合は、ＸＭＬデータをデータ管理装置４に送信する。
【０１１２】
一方、撮像装置３の画像撮影部１２は、所定期間ごとに、生体照明部１１により生体に照明光を与えて生体の撮影を行う（ステップＳ１）。こうして取得された撮影画像は、メモリ部１３に記憶されると共に、外部通信部９よりデータ管理装置４に送信される。
【０１１３】
次に、データ管理装置４が生体データ測定機器２ａ、２ｂ、２ｃ…から生体データを取得すると、ＸＭＬ変換部８ａはこの生体データをＸＭＬデータに変換し、データ保持部２３はこのＸＭＬデータを保持する（ステップＳ２）。また、撮像装置３から画像データを取得すると、データ保持部２３はこのデータを保持する。
【０１１４】
なお、ＸＭＬ変換部８ａがＸＭＬ変換に用いるタグは、予め設定しておく。例えば、トップ要素＜HealthCheck＞、生体データ＜Vital＞、体温＜BT＞、最高血圧＜MaxBP＞、最低血圧＜MinBP＞、脈拍＜Pulse＞、酸素飽和度＜Sp02＞などとする。
【０１１５】
また、ＸＭＬ変換部１５は、生体データ測定機器２ａ，２ｂ，２ｃ…から取得した機器データをＸＭＬデータに記述する。例えば、図２は、機器データとして、血圧計から型名「BP-1000」、パルスオキシメータから型名「POM-285」を取得した例である。
【０１１６】
また、機器データとしてＵＲＩを取得した場合は、それを名前空間としてＸＭＬデータに機器データを付与することができる。例えば、図３は、血圧計の接頭辞を<BP>、パルスオキシメータの接頭辞を<POM>とし、機器データとして、血圧計からＵＲＩ「http://www.makerA.co.jp/BP/」を取得し、パルスオキシメータからＵＲＩ「http://www.makerB.co.jp/PulseOxyMater/」を取得した例である。
【０１１７】
また、生体データ測定機器２ａのユーザが複数いる場合は、フォルダを分けて各ユーザの生体データを記憶するか、ユーザ情報をＸＭＬデータ中に属性として記述してもよい。例えば、山田氏の生体データであれば、＜Vital user=”Yamada”＞のように氏名を記述することができる。
【０１１８】
また、測定時間によってユーザを判別する場合は、測定時間を記述することもできる。ＸＭＬデータ中の測定時間の記憶方法としては、図４（ａ）のように日時ごとにファイルを分けて記憶する方法や、図４（ｂ）のようにディレクトリを分けて記憶する方法があるが、好ましくは、図４（ｃ）のようにＸＭＬデータ中に属性として記述する。
【０１１９】
また、ユーザが複数いる場合は、図５（ａ）のようにユーザごとにファイルを分けて記憶する方法や、図５（ｃ）のようにＸＭＬデータ中に属性として記述する方法があるが、好ましくは図５（ｂ）のようにディレクトリを分けて記憶する。
【０１２０】
また、ＸＭＬ変換部１５は、生体データ測定機器２ａ，２ｂ，２ｃ…で取り込むことのできない生体データがあった場合は、図６に示すような表示部２１の生体データ入力画面において入力された生体データをＸＭＬデータに変換する。
【０１２１】
また、本実施形態のＸＭＬ変換部１５は、図７に示すような表示部２１の生活データ入力画面において生活データ又はユーザ固有情報が入力されると、これらをＸＭＬデータに記述する。
【０１２２】
これらの生活データ又はユーザ個人情報データは、生体データと同じファイルに記述することが好ましい。例えば、タグ名を＜LifeInfo＞として、それ以下に記述することができる。
【０１２３】
例えば、図８は、就寝時間タグを＜BedTime＞、起床時間タグを＜WakeUpTime＞、屋外にいた時間を＜Outdoor＞としてＸＭＬデータに生活データを記述した例である。
【０１２４】
更に、ＸＭＬ変換部１５は、生体データから変換されたＸＭＬデータに、撮像装置３から送信された画像データのプロパティを記述することにより、生体データと画像情報とを関連づける。
【０１２５】
これらの生体データ及び画像情報は、画像データと同じフォルダに生体データをおく方法、画像データと生体データとを対応付けたルックアップテーブルを記憶しておく方法、図９のように画像データのメタデータ記述領域に生体データのファイル名を記述する方法、生体データファイルに関連する画像データのファイル名を記述する方法、図１０のように画像データのメタデータ領域に生体データのＩＤを記述する方法、生体データのメタデータ領域に画像データのＩＤを記述する方法などにより関連づけることができる。なお、JPEG2000のように、ＸＭＬを記述する領域が用意されている画像データに関しては、その領域に生体データを記述してもよい。
【０１２６】
次に、データ解析部１６は、生体データ又は画像データが取得されると、データ解析手段によりデータ解析を行う（ステップＳ３）。そして、ユーザの健康状態に異常があるか否かを判断する（ステップＳ４）。すなわち、生体データ又は画像データのそれぞれを解析して得られた測定値を所定の基準データの測定値と比較し、その差が所定の閾値以下であった場合は健康と判断して、処理を終了する。
【０１２７】
一方、生体データ又は画像データの測定値と基準データの測定値との差が所定の閾値以上であった場合は、データ解析部１６は、ユーザの健康状態を異常と判断する。この場合は、画像特徴量抽出部１７が、データ解析部１６における画像データの解析結果に基づいて、体表面温度、肌の色、爪の色などの画像特徴量を抽出する（ステップＳ５）。そしてこの画像特徴量はＸＭＬデータに記述される。例えば、図１１は、DIG35のTHINGタグに顔、目を対応させ、その画像特徴量をPROPERTYタグで記述した例である。
【０１２８】
続いて、関連データ抽出部１８は、異常と判断された生体データ又は画像データに関連するデータを、所定の抽出条件により、ＸＳＬＴを用いて抽出する。本実施形態の関連データ抽出部１８では、所定の生体データ又は画像データと、その生体データ又は画像データに関連するデータとの対応付けに基づき、関連データが自動的に抽出される。
【０１２９】
次に、データ転送部２６は、データ解析部１６が生体データ又は画像データを解析した結果、ユーザの健康状態を異常と判断した場合は、その診断に係る生体データ又は画像データを外部装置５に送信する（ステップＳ６）。その際、画像データに変わって、転送負荷の少ない画像特徴量を送信することもできる。また、生体データ又は画像データと共に関連データを送信することもできる。関連データには、抽出条件によって転送先が対応づけられており、データ解析により健康状態が異常と判断されると、その転送先に送信される。
【０１３０】
以上より、本実施形態の管理システム１によれば、生体データをＸＭＬデータに統一することによって、様々な生体データ測定機器２ａ、２ｂ、２ｃ…から取得した生体データをデータ管理装置４において一元管理することが可能となる。また、ＸＭＬデータとすることにより、必要に応じてＸＭＬデータの一部から所定の生体データを選択的に抽出することなどが容易となる。更に、ＸＭＬデータにおいてはタグ名を自由に設定することができるため、将来新しいデータ取得装置が現れた場合にも対応することが可能となる。
【０１３１】
また、異なる生体データ測定機器２ａ、２ｂ、２ｃ…から同じ種類の生体データを取得する場合でも、どの生体データ測定機器から取得した生体データかを判別することが可能となる。
【０１３２】
また、ＸＭＬデータから、画像解析を行った生体データ及びその生体データに関連する生体データのみを抽出することが可能となる。これにより、データ管理装置４から外部装置５に解析結果を送信する際の転送負荷を軽減することができる。
【０１３３】
また、主な生体データに関連する生体データは予め関連づけておくことにより、データ処理を効率化することが可能となる。
【０１３４】
また、転送先の検索作業を省略することにより、データ処理を効率化することが可能となる。
【０１３５】
また、データ管理装置において、所定の生体データと関連する画像データを容易に判断することができる。また、画像データの参照により生体の健康状態に関する判断の精度を上げることが可能となる。
【０１３６】
また、画像データをそのまま送信するよりも転送負荷を軽減することができる。また、画像特徴量の参照により生体の健康状態に関する判断の精度を上げることが可能となる。
【０１３７】
以上詳細に説明したように、本発明の管理システムによれば、生体データをデータ管理装置において一元管理することが可能となる。また、必要に応じて所定の生体データを選択的に抽出することなどが容易となる。更に、ＸＭＬデータにより新しいデータ取得装置の出現にも対応することが可能となる。
【０１３８】
また、どの生体データ測定機器から取得した生体データかを判別できるようになる。
【０１３９】
また、データ管理装置から別の装置に解析結果を送信する際の転送負荷を軽減することができる。
【０１４０】
また、データ処理を効率化することが可能となる。
【０１４１】
また、生体データ取得時における画像データを容易に得ることが可能となり、画像データの参照により生体の健康状態に関する判断の精度を上げることが可能となる。
【０１４２】
また、画像データの転送負荷を軽減し、生体の健康状態に関する判断の精度を上げることができる。
【図面の簡単な説明】
【０１４３】
【図１】本発明の実施形態に係る管理システムの全体構成を示すブロック図である。
【図２】ＸＭＬデータに機器データを付与する例を示す図である。
【図３】ＸＭＬデータにＵＲＩを名前空間として機器データを付与する例を示す図である。
【図４】ＸＭＬデータ中の測定時間の記憶パターン例を示す図である。
【図５】ＸＭＬデータをユーザごとにファイル分けする例を示す図である。
【図６】本発明の実施形態に係る画像表示部の生体データ入力画面の例を示す図である。
【図７】本発明の実施形態に係る画像表示部の生活データ入力画面の例を示す図である。
【図８】ＸＭＬデータに生活データを記述する例を示す図である。
【図９】画像データのメタデータ記述領域に生体データのファイル名を記述する例を示す図である。
【図１０】画像データのメタデータ領域に生体データのＩＤを記述する例を示す図である。
【図１１】画像特徴量にタグを設定して記述する例を示す図である。
【図１２】本発明の実施形態に係る管理システムの作用を説明するフローチャートである。
【符号の説明】
【０１４４】
１  管理システム
２ａ，２ｂ，２ｃ  生体データ測定機器
３  撮像装置
４  データ管理装置
５  外部装置
６ａ，６ｂ，６ｃ  測定値表示部
７ａ，７ｂ，７ｃ  外部通信部
８ａ，８ｂ，８ｃ  ＸＭＬ変換部
９  外部通信部
１０  画像表示部
１１  生体照明部
１２  画像撮影部
１３  メモリ部
１４  外部通信部
１５  ＸＭＬ変換部
１６  データ解析部
１７  画像特徴量抽出部
１８  関連データ抽出部
１９  Ｉ／Ｏ部
２０  ユーザインターフェイス部
２１  表示部
２２  記憶部
２３  データ保持部
２４  作業領域部
２５  システム情報保持部
２６  データ転送部
【図１】
2007086872.tif 000003
【図２】
2007086872.tif 000004
【図３】
2007086872.tif 000005
【図４】
2007086872.tif 000006
【図５】
2007086872.tif 000007
【図６】
2007086872.tif 000008
【図７】
2007086872.tif 000009
【図８】
2007086872.tif 000010
【図９】
2007086872.tif 000011
【図１０】
2007086872.tif 000012
【図１１】
2007086872.tif 000013
【図１２】
2007086872.tif 000014